(57)【要約】  一態様の回転工具は、第１端から第２端にかけて延びる円柱状の本体を有し、本体は、回転軸を中心とした回転方向の順に、第２ねじれ刃、第２ねじれ溝、第１ねじれ刃及び第１ねじれ溝を有している。第１ねじれ刃及び第２ねじれ刃は、第１端の側から第２端の側に向かってねじれており、第１ねじれ溝は、第１ねじれ刃に沿っており、第２ねじれ溝は、第２ねじれ刃に沿っている。本体は、第２ねじれ溝から回転方向の順に、逆ねじれ刃及び逆ねじれ溝をさらに有し、逆ねじれ刃及び逆ねじれ溝は、第２ねじれ溝から第２端に向かって第２ねじれ溝とは逆にねじれており、逆ねじれ溝は、逆ねじれ刃に沿っている。逆ねじれ刃は、第１ねじれ刃の軌跡の延長線とは交わり、第２ねじれ刃の軌跡の延長線とは交わらずに位置している。
2018180775.tif 000002
【特許請求の範囲】
【請求項１】
第１端から第２端にかけて延びる円柱状の本体を有し、
該本体は、回転軸を中心とした回転方向の順に、第２ねじれ刃、第２ねじれ溝、第１ねじれ刃及び第１ねじれ溝を有し、
前記第１ねじれ刃及び前記第２ねじれ刃は、前記第１端の側から前記第２端の側に向かってねじれており、
前記第１ねじれ溝は、前記第１ねじれ刃に沿っており、
前記第２ねじれ溝は、前記第２ねじれ刃に沿っており、
前記本体は、前記第２ねじれ溝から前記回転方向の順に、逆ねじれ刃及び逆ねじれ溝をさらに有し、
前記逆ねじれ刃及び前記逆ねじれ溝は、前記第２ねじれ溝から前記第２端に向かって前記第２ねじれ溝とは逆にねじれており、
前記逆ねじれ溝は、前記逆ねじれ刃に沿っており、
前記逆ねじれ刃は、前記第１ねじれ刃の軌跡の延長線とは交わり、前記第２ねじれ刃の軌跡の延長線とは交わらずに位置している回転工具。
【請求項２】
前記第１ねじれ溝は、該第１ねじれ溝の底にあたる第１底部を有し、
該第１底部は、少なくとも一部に前記回転軸からの距離が長い部位を有する請求項１に記載の回転工具。
【請求項３】
前記逆ねじれ溝は、該逆ねじれ溝の底にあたる第２底部を有し、
該第２底部は、少なくとも一部に前記回転軸からの距離が長い部位を有する請求項１又は２に記載の回転工具。
【請求項４】
前記逆ねじれ刃は、側面視において前記第１ねじれ刃の第２端の側の端部における前記回転軸との直交線と重なっている請求項１乃至３のいずれか１つに記載の回転工具。
【請求項５】
前記第１ねじれ溝は、前記第１端の側から前記第２端の側に向かって延びた第１凸条部を有する請求項１乃至４のいずれか１つに記載の回転工具。
【請求項６】
前記第２ねじれ溝は、前記第１端の側から前記第２端の側に向かって延びた第２凸条部を有する請求項１乃至５のいずれか１つに記載の回転工具。
【請求項７】
前記本体は、前記第１ねじれ刃の回転方向の前方にも前記第２ねじれ刃を有し、
前記第１ねじれ刃の回転方向の後方に位置する前記第２ねじれ刃をＡ、
前記第１ねじれ刃の回転方向の前方に位置する前記第２ねじれ刃をＢとしたとき、
前記第１ねじれ刃とＡとの間隔は、前記第１ねじれ刃とＢとの間隔よりも大きい請求項１乃至６のいずれか１つに記載の回転工具。
【発明の詳細な説明】
【技術分野】
【０００１】
本態様は、回転工具に関する。
【背景技術】
【０００２】
ＣＦＲＰ（炭素繊維強化プラスチック）のような繊維を含有する積層体を切削する際に用いられる回転工具には、加工面にバリ及び剥離が生じるおそれが小さいことが求められている。このような回転工具として、例えば、特開２０１５−４５８号公報（特許文献１）に記載のエンドミルが知られている。特許文献１に記載の回転工具（エンドミル）は、先端側から後端側に向かって回転方向にねじれた第１の刃部と、第１の刃部に沿って位置する第１の刃溝と、先端側から後端側に向かって回転方向の反対方向にねじれた第２の刃部と、第２の刃部に沿って位置する第２の刃溝とを備えている。【０００３】
特許文献１に記載の回転工具を用いた場合においては、切屑の排出性が低下するおそれがある。具体的には、第１の刃部で生じた切屑は、第１の刃溝に流入した後に回転工具の後端側に向かって流れる。このとき、第１の刃溝における回転工具の後端側の端部が第２の刃溝に合流していることから、第１の刃溝を流れる切屑は、第２の刃溝に流入する。第２の刃溝には、上記の切屑に加えて第２の刃部で生じた切屑も流入し、回転工具の先端側に向かって流れる。このとき、第２の刃溝における回転工具の先端側の端部が別の第１の刃溝に合流していることから、第２の刃溝を流れる切屑は、別の第１の刃溝に流入する。このように、切屑が回転工具の先端側及び後端側のいずれにも排出されない場合、切屑の排出性が低下する。
【発明の概要】
【０００４】
一態様の回転工具は、第１端から第２端にかけて延びる円柱状の本体を有し、該本体は、回転軸を中心とした回転方向の順に、第２ねじれ刃、第２ねじれ溝、第１ねじれ刃及び第１ねじれ溝を有している。前記第１ねじれ刃及び前記第２ねじれ刃は、前記第１端の側から前記第２端の側に向かってねじれており、前記第１ねじれ溝は、前記第１ねじれ刃に沿っており、前記第２ねじれ溝は、前記第２ねじれ刃に沿っている。前記本体は、前記第２ねじれ溝から前記回転方向の順に、逆ねじれ刃及び逆ねじれ溝をさらに有している。前記逆ねじれ刃及び前記逆ねじれ溝は、前記第２ねじれ溝から前記第２端に向かって前記第２ねじれ溝とは逆にねじれており、前記逆ねじれ溝は、前記逆ねじれ刃に沿っている。前記逆ねじれ刃は、前記第１ねじれ刃の軌跡の延長線とは交わり、前記第２ねじれ刃の軌跡の延長線とは交わらずに位置している。
【図面の簡単な説明】
【０００５】
【図１】本開示の実施形態の回転工具を示す斜視図である。
【図２】図１に示す回転工具における側面図である。
【図３】図２に示す回転工具の第１端における拡大図である。
【図４】図１に示す回転工具における側面図である。
【図５】図４に示す回転工具の第１端における拡大図である。
【図６】図１に示す回転工具の外周の概要を示す展開図である。
【図７】図１に示す回転工具における正面図である。
【図８】図３におけるＡ−Ａ断面を示す断面図である。
【図９】図３におけるＢ−Ｂ断面を示す断面図である。
【図１０】本開示の実施形態の切削加工物の製造方法における一工程を示した図である。
【図１１】本開示の実施形態の切削加工物の製造方法における一工程を示した図である。
【図１２】本開示の実施形態の切削加工物の製造方法における一工程を示した図である。
【発明を実施するための形態】
【０００６】
以下、本開示の実施形態の回転工具１について、図面を用いて詳細に説明する。ただし、以下で参照する各図は、説明の便宜上、実施形態を構成する部材における主要な部材のみを簡略化して示したものである。したがって、回転工具１は、本明細書が参照する各図に示されていない任意の構成部材を備え得る。また、各図中の部材の寸法は、実際の構成部材の寸法及び各部材の寸法比率を忠実に表したものではない。
【０００７】
本開示の実施形態では、回転工具１の一例としてエンドミルを示している。なお、回転工具１は、本開示の実施形態に示すエンドミルに限定されるものではなく、例えばフライス工具であってもよい。
【０００８】
回転工具１は、図１に示す一例において、第１端３ａから第２端３ｂにかけて延びた円柱状の本体３を有している。円柱状の本体３は、切削加工物を製造するための被削材の切削加工時において、回転軸Ｘを中心に矢印Ｙの方向に回転する。
【０００９】
図２に示す一例においては、本体３の左側の端部が第１端３ａ、右側の端部が第２端３ｂである。以下、切削加工時の回転工具１の使用状況に対応して、第１端３ａを先端３ａ、第２端３ｂを後端３ｂと記載して説明する。
【００１０】
本開示の実施形態の本体３の外径は、例えば、４ｍｍ〜２５ｍｍに設定され得る。なお、本体３の外径は、先端３ａから後端３ｂにかけて一定でなくてもよく、例えば、先端３ａから後端３ｂにかけて大きくなるテーパ形状であってもよい。また、回転軸Ｘに沿った方向での本体３の長さをＬ、本体３の外径をＤとするとき、本体３の長さＬは、例えば、Ｌ＝４Ｄ〜１５Ｄに設定され得る。
【００１１】
本開示の実施形態における本体３は、切削部５とシャンク部７とを有している。シャンク部７は、工作機械（不図示）の回転するスピンドルに把持され得る部位であり、工作機械におけるスピンドルの形状に応じて設計され得る部位である。シャンク部７の形状としては、例えば、ストレートシャンク、ロングシャンク、ロングネック及びテーパーシャンクなどが挙げられる。
【００１２】
図２に示す一例における切削部５は、シャンク部７に対して先端３ａの側に位置している。切削部５は、被削材と接触して、被削材の切削加工において主たる役割をなす部位を含んでいてもよい。
【００１３】
本体３は、第１ねじれ刃９、第１ねじれ溝１１、第２ねじれ刃１３及び第２ねじれ溝１５を有している。具体的には、図１に示す一例における本体３の切削部５が、その外周に回転軸Ｘを中心とした回転方向Ｙの順に、第２ねじれ刃１３、第２ねじれ溝１５、第１ねじれ刃９及び第１ねじれ溝１１を有している。
【００１４】
第１ねじれ刃９及び第２ねじれ刃１３は、それぞれ先端３ａの側から後端３ｂの側に向かってねじれている。具体的には、第１ねじれ刃９及び第２ねじれ刃１３は、それぞれ先端３ａの側から後端３ｂの側に向かうに従って回転方向Ｙの後方に向かうようにねじれている。
【００１５】
第１ねじれ溝１１は、第１ねじれ刃９に沿っており、第２ねじれ溝１５は、第２ねじれ刃１３に沿っている。図１に示す一例においては、第１ねじれ溝１１は、第１ねじれ刃９に対して回転方向Ｙの前方側において隣接している。また、第２ねじれ溝１５は、第２ねじれ刃１１に対して回転方向Ｙの前方側において隣接している。
【００１６】
また、本体３は、第２ねじれ溝１５から回転方向Ｙの順に、逆ねじれ刃１７及び逆ねじれ溝１９をさらに有している。逆ねじれ刃１７及び逆ねじれ溝１９は、第２ねじれ溝１５から後端３ｂに向かって第２ねじれ溝１５とは逆にねじれている。具体的には、逆ねじれ刃１７は、第２ねじれ溝１５から後端３ｂの側に向かうに従って回転方向Ｙの前方に向かうようにねじれている。
【００１７】
逆ねじれ溝１９は、逆ねじれ刃１７に沿っている。図１に示す一例においては、逆ねじれ溝１９は、逆ねじれ刃１７に対して回転方向Ｙの前方側において隣接している。このとき、本開示の実施形態における逆ねじれ刃１７は、第１ねじれ刃９の軌跡の延長線とは交わり、第２ねじれ刃１３の軌跡の延長線とは交わらずに位置している。
【００１８】
第１ねじれ刃９、第２ねじれ刃１３及び逆ねじれ刃１７の数はそれぞれ、１つであってもよく、また、複数であってもよい。図６に示す例においては、第１ねじれ刃９、第２ねじれ刃１３及び逆ねじれ刃１７の数が、それぞれ２つである。なお、第１ねじれ刃９、第２ねじれ刃１３及び逆ねじれ刃１７の数が一致している必要はなく、例えば、第１ねじれ刃９が１つ、第２ねじれ刃１３が３つ、逆ねじれ刃１７が１つであってもよい。
【００１９】
なお、図６は、本開示の実施形態における本体３の外周の概要を示す展開図である。図６においては、下側が先端３ａの側であり、上側が後端３ｂの側である。また、図６における左右の端部にそれぞれ位置する仮想線Ｌ１は、本体３の外周における同じ個所を示している。また、視覚的な理解を容易にするため、図６において便宜的に、第１ねじれ溝１１、第２ねじれ溝１５及び逆ねじれ溝１９にハッチングを付している。
【００２０】
本開示の実施形態における第１ねじれ溝１１、第２ねじれ溝１５及び逆ねじれ溝１９は、それぞれ、第１ねじれ刃９、第２ねじれ刃１３及び逆ねじれ刃１７によって生成される切屑の外部への排出に用いられる。本開示の実施形態においては、第１ねじれ刃９、第２ねじれ刃１３及び逆ねじれ刃１７の数が、それぞれ２つであることから、第１ねじれ溝１１、第２ねじれ溝１５及び逆ねじれ溝１９の数もまた、それぞれ２つである。
【００２１】
本体３の外周においてねじれて位置する、第１ねじれ刃９、第２ねじれ刃１３及び逆ねじれ刃１７のねじれ角は、特定の値に限定されるものではないが、例えば３〜４５°程度に設定される。ねじれ角は、図３又は図５に示すように、本体３を側面視した場合における第１ねじれ刃９、第２ねじれ刃１３又は逆ねじれ刃１７と回転軸Ｘとのなす角度によって評価できる。
【００２２】
第１ねじれ刃９、第２ねじれ刃１３及び逆ねじれ刃１７と回転軸Ｘとのなす角度をそれぞれ、θ１、θ２及びθ３として、図３又は図５に示す。また、ねじれ角は、先端３ａの側から後端３ｂの側にかけて一定であってもよく、また、途中で変化していてもよい。
【００２３】
本体３の外周においてねじれて位置する、第１ねじれ刃９、第２ねじれ刃１３及び逆ねじれ刃１７は、例えば、ねじれ角θ１、θ２、θ３がそれぞれ一定である場合において、本体３の外周の展開図に示した際に、直線形状で表される。
【００２４】
図６に示す一例において、第１ねじれ刃９、第２ねじれ刃１３及び逆ねじれ刃１７が直線形状であることから、これらの刃の軌跡の延長線は、直線の延長線によって示される。なお、例えば第１ねじれ刃９が曲線形状である場合には、第１ねじれ刃９における第２端３ｂの側の端部に接する接線上に位置して、前述の端部から第２端３ｂの側に向かって延びた仮想線によって、上記の軌跡の延長線が評価され得る。また、例えば第２ねじれ刃１３が曲線形状である場合においても同様に評価され得る。
【００２５】
回転軸Ｘを中心とした回転方向Ｙの順に並ぶ、第２ねじれ刃１３、第２ねじれ溝１５、逆ねじれ刃１７、逆ねじれ溝１９、第１ねじれ刃９及び第１ねじれ溝１１の組を１つの切削領域とした場合に、図６に示す一例における本体３は、第１ねじれ刃９ａ、第１ねじれ溝１１ａ、第２ねじれ刃１３ａ、第２ねじれ溝１５ａ、逆ねじれ刃１７ａ及び逆ねじれ溝１９ａによって構成される切削領域（第１切削領域）と、第１ねじれ刃９ｂ、第１ねじれ溝１１ｂ、第２ねじれ刃１３ｂ、第２ねじれ溝１５ｂ、逆ねじれ刃１７ｂ及び逆ねじれ溝１９ｂによって構成される切削領域（第２切削領域）と、を有している。
【００２６】
図６に示すように、本開示の実施形態の回転工具１においては、逆ねじれ刃１７ａが、第１ねじれ刃９ａの軌跡の延長線Ｌ３とは交わり、第２ねじれ刃１３ａの軌跡の延長線Ｌ４とは交わらずに位置している。そのため、本開示の実施形態の回転工具１は、良好な切屑排出性を有する。
【００２７】
具体的には、まず、第１ねじれ刃９ａにより生じた切屑が第１ねじれ溝１１ａに流入する。そして、切屑は、第１ねじれ溝１１ａにおける後端３ｂの側に向かって流れる。第１ねじれ溝１１ａにおける後端３ｂの側の端部が逆ねじれ溝１９ａに合流していることから、切屑は、第１ねじれ溝１１ａから逆ねじれ溝１９ａへと流れる。
【００２８】
逆ねじれ刃１７ａにより生じた切屑は、逆ねじれ溝１９ａに流入し、第１ねじれ溝１１ａから流れてきた切屑とともに、逆ねじれ溝１９ａにおける先端３ａの側に向かって流れる。このとき、逆ねじれ溝１９ａにおける先端３ａの側の端部が第２ねじれ溝１５ａに合流していることから、切屑は、逆ねじれ溝１９ａから第２ねじれ溝１５ａへと流れる。
【００２９】
第２ねじれ刃１３ａにより生じた切屑は、第２ねじれ溝１５ａに流入し、逆ねじれ溝１９ａから流れてきた切屑とともに、第２ねじれ溝１５ａにおける後端３ｂの側に向かって流れる。このとき、第２ねじれ溝１５ａにおける後端３ｂの側の端部が、逆ねじれ溝１９ａに合流しないため、第２ねじれ溝１５ａに流入した切屑は、逆ねじれ溝１９ａに流入することなく本体３の後端３ｂの側において外部に排出され易い。したがって、本開示の実施形態の回転工具１は、切屑詰まりが少なく、良好な切屑排出性を有する。
【００３０】
また、図６に示す一例においては、第１切削領域に含まれる逆ねじれ刃１７ａが、第１切削領域に含まれる第２ねじれ刃１３ａだけでなく、第２切削領域に含まれる第２ねじれ刃１３ｂの軌跡の延長線とも交わらずに位置している。また、第２切削領域に含まれる逆ねじれ刃１７ｂが、第２切削領域に含まれる第２ねじれ刃１３ｂだけでなく、第１切削領域における第２ねじれ刃１３ａの軌跡の延長線とも交わらずに位置している。
【００３１】
第１切削領域における逆ねじれ刃１７ａ及び第２切削領域における逆ねじれ刃１７ｂが上記のように構成されている場合、第２ねじれ溝１５ａ及び１５ｂに流入した切屑は、それぞれ本体３の後端３ｂの側において良好に排出される。
【００３２】
第１ねじれ溝１１は、図８に示す一例において、第１ねじれ溝１１の底にあたる第１底部２１を有している。第１底部２１は、先端３ａの側から後端３ｂの側に向かって延びていてもよい。特に図示はしないが、第１底部２１は、先端３ａの側から後端３ｂの側にわたって回転軸Ｘからの距離が一定でなくてもよい。
【００３３】
また、第１底部２１は、少なくとも一部に回転軸Ｘからの距離が長い部位を有していてもよい。第１底部２１が回転軸Ｘからの距離が長い部位を有しているとは、第１ねじれ溝１１が、溝の深さの浅い部位を有していると言い換えてもよい。第１底部２１のうち回転軸Ｘからの距離が長い部位を便宜的に第１部位とする。なお、先端３ａからの距離が異なる第１底部２１における２点の回転軸Ｘからの距離を比較した際に、一方が他方よりも大きい場合に、この一方を含む部分が第１部位であると言える。
【００３４】
第１底部２１が第１部位を有している場合には、第１ねじれ溝１１において流れる切屑が第１ねじれ溝１１における先端３ａの側へ向かって流れにくい。そのため、切屑の排出性が向上する。
【００３５】
第１底部２１が第１部位を有する場合において、この第１部位の位置は特に限定されるものではない。例えば、第１底部２１が、後端３ｂの側に位置する第１部位を有している場合には、切屑が第１ねじれ溝１１における先端３ａの側へ向かってさらに流れにくい。そのため、切屑の排出性がさらに向上する。
【００３６】
また、第１部位が第１ねじれ溝１１における後端３ｂの側の端部を含む場合には、逆ねじれ溝１９を流れる切屑が、第１ねじれ溝１１に逆流しにくい。そのため、切屑の排出性がさらに向上する。特に、回転軸Ｘから第１底部２１までの距離が、第１ねじれ溝１１における後端３ｂの側の端部において最も長い場合には、切屑の排出性がより一層向上する。
【００３７】
逆ねじれ溝１９は、図９に示す一例において、逆ねじれ溝１９の底にあたる第２底部２３を有している。第２底部２３は、先端３ａの側から後端３ｂの側に向かって延びていてもよい。特に図示はしないが、第２底部２３は、先端３ａの側から後端３ｂの側にわたって回転軸Ｘからの距離が一定でなくてもよい。
【００３８】
第１底部２１が第１部位を有する構成として、具体的には以下の構成が例示される。
【００３９】
第１に、第１底部２１が、先端３ａの側に位置する第１領域と、この第１領域よりも後端３ｂの側に位置する第２領域とを有し、第１領域における回転軸Ｘからの距離を第１距離、第２領域における回転軸Ｘからの距離を第２距離とする。このとき、第１距離及び第２距離が互いに異なっている場合には、第１距離及び第２距離のうち値が大きいものに対応する領域が第１部位に相当する。例えば、第２距離が第１距離よりも長い場合には、第２領域が第１部位に相当する。第１底部２１はこのような構成であってもよい。
【００４０】
また、第２に、先端３ａの側から後端３ｂの側に向かうにしたがって回転軸Ｘから第１底部２１までの距離が長くなる構成であってもよい。このように、第１底部２１は、回転軸Ｘからの距離が一定の部分を有さない構成であってもよい。この場合には、第１底部２１における少なくとも後端３ｂの側の端部を含む領域が第１部位に相当する。
【００４１】
なお、当然ながら、第１底部２１が第１部位を有する構成としては、上記のものに限定されない。
【００４２】
また、第２底部２３は、少なくとも一部に回転軸Ｘからの距離が長い部位を有していてもよい。第２底部２３が回転軸Ｘからの距離が長い部位を有しているとは、逆ねじれ溝１９が、溝の深さの浅い部位を有していると言い換えてもよい。第２底部２３のうち回転軸Ｘからの距離が長い部位を便宜的に第２部位とする。なお、先端３ａからの距離が異なる第２底部２３における２点の回転軸Ｘからの距離を比較した際に、一方が他方よりも大きい場合に、この一方を含む部分が第２部位であると言える。
【００４３】
第２底部２３が第２部位を有している場合には、逆ねじれ溝１９において流れる切屑が逆ねじれ溝１９における後端３ｂの側へ向かって流れにくい。そのため、切屑の排出性が向上する。
【００４４】
第２底部２３が第２部位を有する場合において、この第２部位の位置は特に限定されるものではない。例えば、第２底部２３が、先端３ａの側に位置する第２部位を有している場合には、切屑が逆ねじれ溝１９における後端３ｂの側へ向かってさらに流れにくい。そのため、切屑の排出性がさらに向上する。
【００４５】
また、第２部位が逆ねじれ溝１９における先端３ａの側の端部を含む場合には、第２ねじれ溝１５を流れる切屑が、逆ねじれ溝１９に逆流しにくい。そのため、切屑の排出性がさらに向上する。特に、回転軸Ｘから第２底部２３までの距離が、逆ねじれ溝１９における先端３ａの側の端部において最も長い場合には、切屑の排出性がより一層向上する。
【００４６】
本体３を側面視した場合に、逆ねじれ刃１７は、第１ねじれ刃９の後端３ｂの側の端部における回転軸Ｘとの直交線と重なっていてもよい。言い換えれば、第１ねじれ刃９と逆ねじれ刃１７とが回転軸Ｘの回転方向Ｙにおいてオーバーラップしていてもよい。
【００４７】
具体的には、図６に示す一例において、第１ねじれ刃９の後端３ｂの側の端部を通り回転軸Ｘに直交する方向（図６における左右方向）に延びた仮想直線Ｌ２が、逆ねじれ刃１７と交差していてもよい。逆ねじれ刃１７が上記の構成である場合には、切削加工時に削り残しが生じにくい。そのため、被削材の加工面が良好である。
【００４８】
図８及び図９に示すように、第１ねじれ溝１１は、先端３ａの側から後端３ｂの側に向かって延びた第１凸条部２５を有していてもよい。第１ねじれ溝１１において切屑が流れる際に、切屑を誘導するガイドとして第１凸条部２５を機能させることができる。そのため、切屑排出性が良好である。
【００４９】
図７に示すように、第２ねじれ溝１５は、先端３ａの側から後端３ｂの側に向かって延びた第２凸条部２７を有していてもよい。第２ねじれ溝１５において切屑が流れる際に、切屑を誘導するガイドとして第２凸条部２７を機能させることができる。そのため、切屑排出性が良好である。
【００５０】
図６に示す一例においては、本体３が、第１ねじれ刃９ａに対して回転方向Ｙの後方に位置する第２ねじれ刃１３ａを有するとともに、第１ねじれ刃９ａに対して回転方向Ｙの前方に位置する第２ねじれ刃１３ｂを有している。このとき、第１ねじれ刃９ａと第２ねじれ刃１３ａとの間隔が、第１ねじれ刃９ａと第２ねじれ刃１３ｂとの間隔より大きくてもよい。
【００５１】
回転工具による切削加工においては一般的に、回転方向において隣り合う刃同士の間隔が小さいほど切屑の大きさ（厚み）は小さい。そのため、上記のように第１ねじれ刃９及び第２ねじれ刃１３が位置している場合には、第１ねじれ刃９により生じる切屑の大きさは第２ねじれ刃１３により生じる切屑よりも小さい。第１ねじれ刃９により生じる切屑の大きさが相対的に小さいことにより、後述する原因に基づく切屑詰まりが抑制される。
【００５２】
第２ねじれ刃１３により生じる切屑は、第２ねじれ溝１５を流れ、外部に排出される。一方で、第１ねじれ刃９で生じる切屑は、第１ねじれ溝１１、逆ねじれ溝１９、第２ねじれ溝１５の順に流れ、最終的に外部へ排出される。つまり、第２ねじれ刃１３により生じる切屑が１つの溝を通るのに対し、第１ねじれ刃９で生じる切屑は３つの溝を通ってから外部に排出される。
【００５３】
このとき、第１ねじれ刃９ａ、第２ねじれ刃１３ａ及び第２ねじれ刃１３ｂが上記の通り構成されている場合には、外部に排出されるまでの経路が長い第１ねじれ刃９で生じる切屑が小さいため、切屑が詰まりにくい。
【００５４】
本体３の材質としては、例えば、超硬合金あるいはサーメットなどが挙げられる。超硬合金の組成としては、例えば、ＷＣ−Ｃｏ、ＷＣ−ＴｉＣ−Ｃｏ及びＷＣ−ＴｉＣ−ＴａＣ−Ｃｏが挙げられる。ここで、ＷＣ、ＴｉＣ、ＴａＣは硬質粒子であり、Ｃｏは結合相である。また、サーメットは、セラミック成分に金属を複合させた焼結複合材料である。具体的には、サーメットとして、炭化チタン（ＴｉＣ）又は窒化チタン（ＴｉＮ）を主成分としたチタン化合物が挙げられる。
【００５５】
本体３の表面は、化学蒸着（ＣＶＤ）法、又は物理蒸着（ＰＶＤ）法を用いて被膜でコーティングされていてもよい。被膜の組成としては、炭化チタン（ＴｉＣ）、窒化チタン（ＴｉＮ）、炭窒化チタン（ＴｉＣＮ）又はアルミナ（Ａｌ２Ｏ３）などが挙げられる。
【００５６】
＜切削加工物の製造方法＞
次に、本開示の実施形態の切削加工物の製造方法について、上記の実施形態の回転工具１を用いる場合を例に挙げて詳細に説明する。以下、図１０〜図１２を参照しつつ説明する。
【００５７】
（１）上記実施形態に代表される回転工具１を回転軸Ｘの周りで回転させる工程と、
（２）回転している回転工具１における第１ねじれ刃、第２ねじれ刃及び逆ねじれ刃の少なくとも１つを被削材３３に接触させる工程と、
（３）回転工具１を、被削材３３から離す工程と、
を備えている。
【００５８】
より具体的には、まず、図１０に示すように、回転工具１を回転軸Ｘの周りで回転させるとともに回転軸Ｘに直交するＺ方向に移動させることによって、回転工具１を被削材３３に相対的に近づける。次に、図１１に示すように、回転工具１における第１ねじれ刃、第２ねじれ刃及び逆ねじれ刃の少なくとも１つを被削材３３に接触させて被削材３３を切削する。なお、図１１においては第１ねじれ刃、第２ねじれ刃及び逆ねじれ刃を被削材３３に接触させている。そして、図１２に示すように、回転工具１をさらにＺ方向に移動させることによって、回転工具１を被削材３３から相対的に遠ざける。
【００５９】
本開示の実施形態においては、被削材３３を固定させるとともに回転軸Ｘの周りで回転工具１を回転させた状態で、回転工具１を被削材３３に近づけている。また、図１１においては、回転している回転工具１の第１ねじれ刃、第２ねじれ刃及び逆ねじれ刃を被削材３３に接触させることによって、被削材３３を切削している。また、図１２においては、回転工具１を回転させた状態で被削材３３から遠ざけている。
【００６０】
なお、本開示の実施形態の製造方法における切削加工では、それぞれの工程において、回転工具１を動かすことによって、回転工具１を被削材３３に接触させる、あるいは、回転工具１を被削材３３から離している。当然ながらこのような形態に限定されるものではない。
【００６１】
例えば、（１）の工程において、被削材３３を回転工具１に近づけてもよい。同様に、（３）の工程において、被削材３３を回転工具１から遠ざけてもよい。切削加工を継続する場合には、回転工具１を回転させた状態を維持して、被削材３３の異なる箇所に第１ねじれ刃、第２ねじれ刃及び逆ねじれ刃のいずれか１つを接触させる工程を繰り返せばよい。
【００６２】
なお、図１１では、Ｚ方向に沿って回転工具１が移動していたが、この態様に限定されない。例えば、回転工具１が回転軸Ｘに沿った方向に移動しつつ切削を行なってもよい。
【００６３】
被削材３３の材質の代表例としては、アルミ、炭素鋼、合金鋼、ステンレス、鋳鉄、又は非鉄金属などが挙げられる。
【符号の説明】
【００６４】
１・・・回転工具
３・・・本体
３ａ・・第１端（先端）
３ｂ・・第２端（後端）
５・・・切削部
７・・・シャンク部
９・・・第１ねじれ刃
１１・・・第１ねじれ溝
１３・・・第２ねじれ刃
１５・・・第２ねじれ溝
１７・・・逆ねじれ刃
１９・・・逆ねじれ溝
２１・・・第１底部
２３・・・第２底部
２５・・・第１凸条部
２７・・・第２凸条部
３３・・・被削材
Ｘ・・・回転軸
Ｙ・・・回転方向
Ｚ・・・切削方向
【図１】
2018180775.tif 000003
【図２】
2018180775.tif 000004
【図３】
2018180775.tif 000005
【図４】
2018180775.tif 000006
【図５】
2018180775.tif 000007
【図６】
2018180775.tif 000008
【図７】
2018180775.tif 000009
【図８】
2018180775.tif 000010
【図９】
2018180775.tif 000011
【図１０】
2018180775.tif 000012
【図１１】
2018180775.tif 000013
【図１２】
2018180775.tif 000014
【国際調査報告】
2018180775.tif 000015
2018180775.tif 000016
2018180775.tif 000017
2018180775.tif 000018